(57)【要約】【課題】暖房の立ち上がり特性が良く、省エネ効果の高い浴室暖房機を提供することを目的とする。【解決手段】浴室の空気を循環する循環送風手段２の空気流路内の空気を温水を利用して加熱する温水加熱手段３と、電気式ＰＴＣヒーターを利用して加熱する電気式加熱手段４と、温水温度検出手段５と、各手段を制御する制御部６と遠隔操作をする遠隔操作手段７とを備え、運転当初の暖房を電気式加熱手段４で行ない、その後は温水式加熱手段３で暖房することにより、暖房の立ち上がり特性が良く、省エネ効果の高い浴室暖房機を得られる。【選択図】図１
2006275393.tif 000002
【特許請求の範囲】
【請求項１】
浴室の空気を循環する循環送風手段と、この循環送風手段の空気流路内の空気を温水を利用して加熱する温水加熱手段と、電気式ＰＴＣヒーターを利用して加熱する電気式加熱手段と、温水温度検出手段と、前記各手段を制御する制御部と、遠隔操作をする遠隔操作手段とを備え、運転当初の暖房を前記電気式加熱手段で行ない、その後は前記温水式加熱手段で暖房する構成とした浴室暖房機。
【請求項２】
浴室内温度検出手段を設け、浴室内温度が設定温度以下のときは電気式加熱手段で暖房を行ない、設定温度以上のときには、温水式加熱手段で加熱する構成とした請求項１記載の浴室暖房機。
【請求項３】
温水式加熱手段に、電気式加熱手段を一体的に設けハイブリット加熱手段を形成した請求項２記載の浴室暖房機。
【請求項４】
電気式加熱手段を輻射式加熱手段で形成した請求項１記載の浴室暖房機。
【請求項５】
入浴時当初に一定時間輻射式加熱手段に切り換える切換手段を遠隔操作手段に設けた請求項４記載の浴室暖房機。
【請求項６】
切換手段を浴室の扉の開閉を検知する扉開閉手段により構成した請求項５記載の浴室暖房機。
【請求項７】
扉開閉検知手段を人体検知手段で構成した請求項６記載の浴室暖房機。
【請求項８】
温水式加熱手段と輻射式加熱手段でサウナ空間を実現可能に構成した請求項４記載の浴室暖房機。
【発明の詳細な説明】
【技術分野】
【０００１】
本発明は、浴室内を暖房して、入浴者に快適な入浴ができるようにする浴室暖房機に関する。
【背景技術】
【０００２】
従来、この種の浴室暖房機の一例として浴室暖房乾燥機が知られている（例へば、特許文献１参照）。
【０００３】
以下、浴室暖房乾燥機について図９を参照しながら説明する。
【０００４】
図に示すように、浴室暖房乾燥機１０１の内部には温水を循環させて空気を加熱する熱交換器１０２と、熱交換器１０２で加熱された空気を温風吹出口１０３から吐出させる送風ファン１０４と、下面には遠赤外線ヒータ等の電気ヒータ１０５を露出して設け、入浴前の予備暖房時には送風ファン１０４を運転して熱交換器１０２で加熱された温風を吹き出し、電気ヒータ１０５はオフした状態にする。そして、入浴時には温風の吹き出しを停止し、電気ヒータ１０５の輻射熱で浴室を暖房するように構成する。
【特許文献１】特開２００２−２２１３３１号公報（〔００１８〕〜〔００２６〕、図１）
【発明の開示】
【発明が解決しようとする課題】
【０００５】
このような従来の浴室暖房乾燥機では、入浴前の予備暖房時には、送風ファン１０４を運転して熱交換器１０２で加熱された温風を吹き出して暖房を行い、入浴時には温風吹出しを停止し、電気ヒータ１０５のみを運転して暖房を行うので、入浴前の予備暖房の必要をなくす課題があり、予備暖房を必要としないようにすることが要求されている。
【０００６】
また、入浴中の暖房を電気ヒータ１０５のみで行なうためエネルギーの消費が大きいという課題があり、省エネにすることが要求されている。
【０００７】
本発明は、このような従来の課題を解決するものであり、暖房の立上がり特性が良く、省エネ効果の高い浴室暖房機を提供することを目的としている。
【課題を解決するための手段】
【０００８】
本発明の浴室暖房機は上記目的を達成するために、浴室の空気を循環する循環送風手段と、この循環送風手段の空気流路内の空気を温水を利用して加熱する温水加熱手段と、電気式ＰＴＣヒーターを利用して加熱する電気式加熱手段と、温水温度検出手段と、前記各手段を制御する制御部と、遠隔操作する遠隔操作手段とを備え、運転当初の暖房を前記電気式加熱手段で行ない、その後は前記温水加熱手段で暖房する構成としたものである。
【０００９】
この手段により、暖房時の立上がり特性を良くする浴室暖房機が得られる。
【００１０】
また、他の手段は、浴室内温度検出手段を設け、設定温度以下のときは電気式加熱手段で暖房を行ない、設定温度以上の時には温水式加熱手段で加熱する構成としたものである。
【００１１】
この手段により、省エネを図ることができる浴室暖房機が得られる。
【００１２】
また他の手段は、温水式加熱手段に、電気式加熱手段を一体的に設けたものである。
【００１３】
この手段により、省スペース化を図ることができる浴室暖房機が得られる。
【００１４】
また他の手段は、電気式加熱手段を輻射式加熱手段で形成したものである。
【００１５】
この手段により、入浴時に寒さを感じさせないことができる浴室暖房機が得られる。
【００１６】
また他の手段は、入浴時に電気式加熱手段を輻射式加熱手段に切り換える切換手段を遠隔操作に設けたものである。
【００１７】
この手段により、入浴者によって加熱手段を切り換えることができる浴室暖房機が得られる。
【００１８】
また、他の手段は、切換手段を浴室の扉の開閉を検知する扉開閉手段により構成したものである。
【００１９】
この手段により、遠隔操作手段を操作することなく切換えが可能となる浴室暖房機が得られる。
【００２０】
また、他の手段は、扉開閉検知手段を人体検知手段で構成したものである。
【００２１】
この手段により、遠隔操作手段を操作することなく切換えが可能となる浴室暖房機が得られる。
【００２２】
また、他の手段は、温水式加熱手段と輻射式加熱手段でサウナ空間を実現可能に構成したものである。
【００２３】
この手段により、サウナ空間を簡単に構成できる浴室暖房機が得られる。
【発明の効果】
【００２４】
本発明によれば、暖房時の立ち上がり特性を良くする効果のある浴室暖房機を提供できる。
【００２５】
また、省エネを図ることができるという効果のある浴室暖房機を提供できる。
【００２６】
また、省スペース化を図ることができるという効果のある浴室暖房機を提供できる。
【００２７】
また、入浴時に寒さを感じさせないという効果のある浴室暖房機を提供できる。
【００２８】
また、遠隔操作手段を操作することなく、暖房手段の切換えが可能な効果のある浴室暖房機を提供できる。
【００２９】
また、サウナ空間を簡単に構成できる効果のある浴室暖房機を提供できる。
【発明を実施するための最良の形態】
【００３０】
本発明の請求項１記載の発明は、浴室の空気を循環する循環送風手段と、この循環送風手段の空気流路内の空気を温水を利用して加熱する温水加熱手段と、電気式ＰＴＣヒーターを利用して加熱する電気式加熱手段と、温水温度検出手段と、前記各手段を制御する制御部と、遠隔操作をする遠隔操作手段とを備え、運転当初の暖房を前記電気式加熱手段で行ない、その後は前記温水加熱手段で暖房する構成としたものであり、温水加熱手段が温水により加熱されるまでの間、電気式加熱手段の電気式ＰＴＣヒーターにより暖房を行なうことができ、暖房時の立ち上り特性が良くなるという作用を有する。
【００３１】
また、請求項２記載の発明は、浴室内温度検出手段を設け、浴室内温度が設定温度以下のときは電気式加熱手段で暖房を行ない、設定温度以上のときは温水式加熱手段で加熱する構成としたものであり、浴室内の温度を検出してある設定温度以下の場合は暖房開始時に電気式加熱手段の電気式ＰＴＣヒーターを駆動させ、設定温度以上であれば温水式加熱手段だけで暖房することができ、省エネを図ることができるという作用を有する。
【００３２】
また、請求項３記載の発明は、温水式加熱手段に、電気式加熱手段を一体的に設けハイブリット加熱手段を形成したものであり、温水式加熱手段に、電気式加熱手段の電気式ヒーターを取り付け一体構造としたことにより、温水式加熱手段と電気式加熱手段を別々に設けた場合と比較して構成を小形化することができ、省スペース化を図ることができるという作用を有する。
【００３３】
また、請求項４記載の発明は、電気式加熱手段を輻射式加熱手段で形成したものであり、電気式加熱手段を輻射式加熱手段に変更することにより、入浴者に寒さを感じさせないように暖房することができ、暖房効果が高められるという作用を有する。
【００３４】
また、請求項５記載の発明は、入浴時に電気式加熱手段を輻射式加熱手段に切換える切換手段を遠隔操作手段に設けたことにより、入浴時に遠隔操作手段を操作して温水式加熱手段から輻射式加熱手段に切り換えることができ入浴者自身によって切換えることができるので、使用勝手が良く便利となる作用を有する。
【００３５】
また、請求項６記載の発明は、切換手段を浴室の扉の開閉を検知する扉開閉手段により構成したものであり、入浴者が入浴時に扉を開閉することにより扉の開閉が扉開閉手段により検知され、温水式加熱手段から輻射式加熱手段に自動的に切り換えられるので、入浴者が遠隔操作手段を操作する必要がなくなり便利になるという作用を有する。
【００３６】
また、請求項７記載の発明は、扉開閉検知手段を人体検知手段で構成したものであり、温水式加熱手段で暖房中に入浴者が浴室に入ってくると人体検知手段で入浴者が検知され、輻射式加熱手段に切り換わることで、入浴者がいちいち遠隔操作手段により操作する必要がなくなり便利になるという作用を有する。
【００３７】
また、請求項８記載の発明は、温水式加熱手段と輻射式加熱手段でサウナ空間を実現可能に構成したものであり、温水式加熱手段と輻射式加熱手段を同時に使用することで、浴室内をサウナ空間にすることが比較的簡単な構成で実現できるという作用を有する。
【００３８】
以下、本発明の実施の形態について図面を参照しながら説明する。
【００３９】
（実施の形態１）
図１に示すように、浴室暖房乾燥機本体１の内部には浴室の空気を循環する循環送風手段２と、循環送風手段２の空気流路内の空気を温水を利用して加熱する温水式加熱手段３と、電気式ＰＴＣヒーターを利用して加熱する電気式加熱手段４と、温水温度検出手段５と、各手段を制御する制御部６と、制御部６を介して各手段を制御するように操作する遠隔操作手段７とを設け、暖房運転の当初の暖房を電気式加熱手段４で行ない、その後は温水式加熱手段３で暖房する構成とする。
【００４０】
上記構成において、浴室を暖房するときには、遠隔操作手段７を操作することにより、制御部６を介して暖房当初は電気式加熱手段４に通電され、循環送風手段２から送られる風を加熱し、加熱された温風を浴室内に送風して暖房を行い、一方温水式加熱手段３に送られている温水の温度が温水温度検出手段５により検出され、検出された温度が設定温度以上になると、制御部６を介して電気式加熱手段４がオフとなり、温水式加熱手段３により暖房を行うこととなる。
【００４１】
このように実施の形態１の発明によれば、温水式加熱手段３と電気式加熱手段４を設け、暖房運転当初は電気加熱式手段４により暖房を行うことにより、暖房時の立上り特性が良くなり、入浴者に冷感を与えることがなくなるとともに、温水式加熱手段３に流れる温水温度が温水温度検出手段５により検出され、設定温度以上になると、今迄暖房に使用されていた電気式加熱手段４がオフとなり温水式加熱手段３により行なわれるので、省エネを図ることができる。
【００４２】
（実施の形態２）
図２に示すように、浴室暖房機本体１Ａに浴室内温度検出手段８を設け、浴室内温度が設定温度以下のときには、電気式加熱手段４Ａで暖房を行い、設定温度のときには温水式加熱手段３Ａで加熱する構成とする。
【００４３】
上記構成において、浴室内温度検出手段８で検出した浴室内温度が設定温度以下のときには、制御部６Ａを介して電気式加熱手段４Ａに通電され、電気式加熱手段４Ａを作動して浴室内の暖房を行ない、浴室内温度検出手段８で検出した浴室内の温度が設定温度以上のときにおいて、温水温度検出手段５で検出した温度が高いときには、制御部６Ａを介して電気式加熱手段４Ａの通電を停止し、温水式加熱手段３Ａで加熱された温風で浴室内の暖房を行なうこととなる。
【００４４】
このように実施の形態２の発明によれば、浴室内温度検出手段８で検出した浴室内の温度が設定温度以上のときには、温水式加熱手段３Ａで加熱して浴室の暖房を行なうので、浴室内の暖房を電気式加熱手段４Ａだけで行なう場合と比較して省エネを図ることができる。
（実施の形態３）
図３に示すように、浴室暖房機１Ｂ内に設けられている温水式加熱手段３Ｂに電気式加熱手段４Ｂを一体的に設けハイブリット加熱手段９を形成し構成する。
【００４５】
上記構成において、浴室内温度検出手段８で検出した浴室内の温度が設定温度以下のときには、制御部６Ｂをハイブリット加熱手段９に設けられた電気式加熱手段４Ｂに通電され、電気式加熱手段４Ｂが作動し、温水式加熱手段３Ｂを形成するフィン（図示せず）により広範囲に浴室内の暖房を行ない、浴室内温度検出手段８で検出した浴室内の温度が設定温度以上のときにおいて、温水温度検出手段５で検出した温度が高いときには、制御部６Ｂを介して電気式加熱手段４Ｂの通電を停止し、ハイブリット加熱手段９の温水式加熱手段３Ｂで加熱された温風で浴室内の暖房を行なうこととなる。
【００４６】
このように実施の形態３の発明によれば、温水式加熱手段３Ｂに電気式加熱手段４Ｂを一体的に設けハイブリット加熱手段９を形成したので、温水式加熱手段３Ｂと電気式加熱手段４Ｂを別々に設けた場合と比較し、小形に形成することができ、省スペース化を図ることができる。
【００４７】
（実施の形態４）
図４に示すように、浴室暖房機１Ｃの浴室内に露出する部分に、浴室に何かい輻射する輻射式加熱手段１０を設け、電気式加熱手段を構成する。
【００４８】
上記構成において、浴室内温度検出手段８で浴室内の温度が設定温度以下のときには、制御部６Ｃを介し、輻射式加熱手段１０に通電され、輻射式加熱手段１０が作動し、浴室は輻射熱により暖房が行なわれ、浴室内温度検出手段８で検出した浴室内の温度が設定温度以上のときにおいて、温水温度検出手段５で検出された温度が高いときには、制御部６Ｃを介して輻射式加熱手段１０の通電を停止し、温水式加熱手段３で加熱された温風で浴室内の暖房を行うこととなる。
【００４９】
このように実施の形態４の発明によれば、電気式加熱手段を輻射式加熱手段１０で形成しているので、浴室は輻射熱により暖房されることとなり、入浴者に輻射熱が接触しても寒さを感じることはなく、快適な環境で暖房を行なうことができる。
【００５０】
（実施の形態５）
図５に示すように、入浴時当初に一定時間、輻射式加熱手段１０Ａに切換える切換手段１１を遠隔操作手段７Ａに設けた構成とする。
【００５１】
上記構成において、入浴時に遠隔操作手段７Ａの切換手段１１を操作すると、制御部６Ｄを介して、一定時間、輻射式加熱手段１０Ａに通電され輻射熱が浴室内に放熱されて暖房が行なわれ、一定時間経過後浴室内温度検出手段８により検出された温度が、設定温度以上の場合において、温水温度検出手段５で検出された温度が設定温度以上のときには、制御部６Ｄを介して輻射式加熱手段１０Ａに対する通電が停止され、温水式加熱手段３により暖房が行なわれる。
【００５２】
また、輻射式加熱手段１０Ａによる輻射暖房が一定時間行なわれたときにおいて、温水温度検出手段５により検出された温度が設定温度以下のときには、制御部６Ｄを介して、輻射式加熱手段１０Ａは、更に一定時間、輻射式加熱手段１０Ａによる暖房が行なわれ、温水温度検出手段５により検出された温度が設定温度以上になる迄繰り返し行なわれる。
【００５３】
このように実施の形態５の発明によれば、入浴時当初に一定時間、輻射式加熱手段１０Ａに切換える切換手段１１を遠隔操作手段７Ａに設けたので、入浴時に、入浴者によって遠隔操作手段７Ａの切換手段１１を操作することにより、一定時間輻射式加熱手段１０Ａが作動し、輻射熱による暖房が行なわれることとなり、入浴者に冷感を与えることが防止でき、一定時間後に温水式加熱手段３による暖房が行なわれことにより、入浴者に冷感を与えることなく暖房を続行することができ、入浴の間、輻射式加熱手段１０Ａにより暖房を行なう場合と比較して省エネを図ることができる。
【００５４】
（実施の形態６）
図６に示すように、浴室の扉１２に、扉１２の開閉を検知する扉開閉検知手段１３を設け、切換手段としての役目を果たすように構成する。
【００５５】
上記構成において、入浴者が浴室の扉１２を開くと切換手段の役目をする扉開閉検知手段１３から浴室暖房機本体１Ｄ内の制御部６Ｅを介して、一定時間、輻射式加熱手段１０Ｂに通電され、輻射熱が浴室内に放熱されて暖房が行なわれ、一定時間経過後、温水温度検出手段５で検出された温度が設定温度以上であるときには、制御部６Ｅを介して輻射式加熱手段１０Ｂに対する通電が停止され、温水式加熱手段３により暖房が行なわれる。以後は実施の形態５と同様の作用が繰り返される。
【００５６】
このように、実施の形態６の発明によれば、浴室の扉１２に、扉１２の開閉を検知する扉開閉検知手段１３を設け、切換手段としての役目を果たすようにしたので、入浴者が遠隔操作手段７Ａを、その都度操作する手間が省けるとともに、入浴時当初の一定時間を輻射熱により暖房することで入浴者に冷感を与えることがなくなり、一定時間後は温水式加熱手段３により暖房を行うので省エネ効果をもたらすことができる。
【００５７】
（実施の形態７）
図７に示すように、浴室内に入浴者が入ってきたことを検知できる人体検知手段１４を設け、扉開閉検知手段と同様の役目を果たすように構成する。
【００５８】
上記構成において、入浴者が浴室内に入ると、扉開閉検知手段の役目をする人体検知手段１４から浴室暖房機本体１Ｅ内の制御部６Ｆを介して一定時間輻射式加熱手段１０Ｃに通電され、輻射熱が浴室内に放熱されて暖房が行なわれ、一定時間経過後に、温水温度検出手段５で検出された温度が、設定以上であるときには、制御部６Ｆを介して輻射式加熱手段１０Ｃに対する通電が停止され、温水式加熱手段３により暖房が行なわれる。以後は、実施の形態５と同様が繰り返される。
【００５９】
このように実施の形態７の発明によれば、浴室内に入浴者が入って来たことを検知できる人体検知手段１４を設け、扉開閉検知手段と同様の役目を果すようにしたので、入浴者が遠隔操作手段７Ａを、その都度操作する手間が省けるとともに、入浴当初の一定時間を輻射熱により暖房することができ、入浴者に冷感を与えることがなくなり、一定時間後は温水式加熱手段３により暖房を行なうことで省エネ効果をもたらすことができる。
【００６０】
（実施の形態８）
図８に示すように、温水式加熱手段３Ｃと輻射式加熱手段１０Ｄでサウナ空間１５を構成する。
【００６１】
上記構成において、浴室暖房機本体１Ｃ内の温水加熱手段３Ｃと輻射式加熱手段１０Ｄを同時に作動することで、浴室内には輻射式加熱手段１０Ｄの輻射熱が放熱されるとともに、循環送風手段２Ａにより送られた風が温水式加熱手段３Ｃで加熱された温風となって浴室内に放散され、浴室内全体に温風が行きわたることとなり、浴室内にサウナ空間１５が形成され、サウナ空間１５内の温度は、浴室内温度検出手段８により検出された信号を制御部６Ｇに送り、制御部６Ｇにより温水式加熱手段３Ｃおよび輻射式加熱手段１０Ｄの作動制御を行ない調整されることとなる。
【００６２】
このように実施の形態８の発明によれば、温水式加熱手段３Ｃと輻射式加熱手段１０Ｄでサウナ空間１５を構成しているので、家庭において簡単にサウナ空間１５を形成することが実現可能となる。
【産業上の利用可能性】
【００６３】
温水式加熱手段および電気式加熱手段を制御部を用いて手段毎にきめ細かい制御を用いることにより、サウナ装置の用途にも適用できる。
【図面の簡単な説明】
【００６４】
【図１】本発明の実施の形態１の浴室暖房機の構成を示すブロック図
【図２】本発明の実施の形態２の浴室暖房機の構成を示すブロック図
【図３】本発明の実施の形態３の浴室暖房機の構成を示すブロック図
【図４】本発明の実施の形態４の浴室暖房機の構成を示すブロック図
【図５】本発明の実施の形態５の浴室暖房機の構成を示すブロック図
【図６】本発明の実施の形態６の浴室暖房機の構成を示すブロック図
【図７】本発明の実施の形態７の浴室暖房機の構成を示すブロック図
【図８】本発明の実施の形態８の浴室暖房機の構成を示すブロック図
【図９】従来の浴室暖房乾燥機の断面図
【符号の説明】
【００６５】
２    循環送風手段
３    温水式加熱手段
３Ａ  温水式加熱手段
３Ｂ  温水式加熱手段
３Ｃ  温水式加熱手段
４    電気式加熱手段
４Ａ  電気式加熱手段
４Ｂ  電気式加熱手段
５    温水温度検出手段
６    制御部
７    遠隔操作手段
７Ａ  遠隔操作手段
８    浴室内温度検出手段
９    ハイブリット加熱手段
１０  輻射式加熱手段
１０Ａ  輻射式加熱手段
１０Ｄ  輻射式加熱手段
１１  切換手段
１２  浴室の扉
１３  扉開閉検知手段
１４  人体検知手段
１５  サウナ空間
【図１】
2006275393.tif 000003
【図２】
2006275393.tif 000004
【図３】
2006275393.tif 000005
【図４】
2006275393.tif 000006
【図５】
2006275393.tif 000007
【図６】
2006275393.tif 000008
【図７】
2006275393.tif 000009
【図８】
2006275393.tif 000010
【図９】
2006275393.tif 000011